(57)【要約】【課題】簡単な構成でミラー角度の調整を必要とする一方向のみの角度を高精度に調整可能な光走査装置及びそれを備えた画像形成装置を提供する。【解決手段】光走査装置は、光源部と、ポリゴンミラーと、平面ミラーと、ミラー調整機構と、を備える。ミラー調整機構は、平面ミラーの反射面に対し同一直線上で点接触または線接触する１つ以上の第１支持突起が設けられた当接面と、平面ミラーの反射面に点接触する１つの第２支持突起が設けられたミラー受け部と、を有するミラー保持部材と、を有する。平面ミラーと第１支持突起との接触状態、及びミラー受け部と当接面との接触状態を維持しながらミラー保持部材を回転させることにより、複数の第１支持突起と平面ミラーとの当接点を結ぶ直線を揺動軸として平面ミラーの角度を一方向にのみ調整可能である。【選択図】図３
2015206930.tif 000002
【特許請求の範囲】
【請求項１】
ビーム光を射出する光源部と、
該光源部からのビーム光を被走査面に対して偏向走査するポリゴンミラーと、
該ポリゴンミラーによって反射されたビーム光の光路を変更する平面ミラーと、
該平面ミラーの角度を調整するミラー調整機構と、
を備えた光走査装置において、
前記ミラー調整機構は、
前記平面ミラーの反射面に対し同一直線上で点接触または線接触する１つ以上の第１支持突起が設けられた当接面と、
前記平面ミラーの一端側を前記第１支持突起に押圧するミラー押さえ部と、前記平面ミラーの反射面の他端側に対向し、前記平面ミラーの反射面に点接触する１つの第２支持突起が設けられたミラー受け部と、を有するミラー保持部材と、
を有し、
前記当接面は、前記複数の第１支持突起と前記平面ミラーとの接触点を結ぶ直線に対し平行であり、且つ、前記平面ミラーと前記複数の第１支持突起及び前記第２支持突起との接触点を含む平面と平行ではなく、
前記平面ミラーと前記第１支持突起との接触状態、及び前記ミラー受け部と前記当接面との接触状態を維持しながら前記ミラー保持部材を回転させることにより、前記複数の第１支持突起と前記平面ミラーとの接触点を結ぶ直線を揺動軸として前記平面ミラーの角度を一方向にのみ調整可能であることを特徴とする光走査装置。
【請求項２】
前記当接面と、前記ミラー保持部材を回転可能に支持するミラー保持部材支持部とが前記ポリゴンミラーを収納するハウジングの外側面に形成されることを特徴とする請求項１に記載の光走査装置。
【請求項３】
前記ミラー保持部材は弾性変形可能な圧接片を有しており、前記圧接片は、前記当接面を囲むように形成される前記ミラー保持部材支持部に内側から圧接されることを特徴とする請求項２に記載の光走査装置。
【請求項４】
前記圧接片と前記ミラー保持部材支持部のいずれか一方には、凹部と凸部とが交互に連続するラック部が形成され、他方には前記ラック部に係合する係合突起が形成されることを特徴とする請求項３に記載の光走査装置。
【請求項５】
前記平面ミラーは、主走査方向の露光範囲を制御するための信号を出力する検知センサーにビーム光を導光する検知ミラーであり、前記ミラー調整機構は、前記検知ミラーの角度を副走査方向にのみ調整可能であることを特徴とする請求項１乃至請求項４のいずれかに記載の光走査装置。
【請求項６】
請求項１乃至請求項５のいずれかに記載の光走査装置と、該光走査装置からのビーム光によって走査される被走査面を有する像担持体と、を備えた画像形成装置。
【発明の詳細な説明】
【技術分野】
【０００１】
本発明は、露光走査により被走査面上に潜像を形成する光走査装置、及びそれを備えた複写機、プリンター、ファクシミリ、それらの複合機等の画像形成装置に関するものである。
【背景技術】
【０００２】
従来、画像形成装置に用いられる光走査装置では、光源から射出されたビーム光はポリゴンミラー等の偏向器で偏向された後、レンズ等の光学部材を通過して感光体ドラム（像担持体）に導光され、感光体ドラム表面を露光走査して静電潜像を形成する。
【０００３】
このような光走査装置では、画像の書き出し位置（書き出しタイミング）を決定するための書き出し光線検知用のセンサーが配置されている。そして、書き出し光線が検知センサーに入射した後、所定時間（数μ秒）経過してから画像を書き出す、というように書き出し位置が制御されている。この書き出し光線は、ミラーによって検知センサーに向かって反射されるが、このときミラーの副走査方向の角度がずれていると、書き出し光線が検知センサーの上下方向（副走査方向）へ外れて書き出し光線が検知されないため、描画が開始されないことになる。
【０００４】
従来は、書き出し光線の副走査方向の位置を補正するために、補正レンズを搭載していた。しかしながら、補正レンズは一般的な樹脂部品に比べて高額であり、部品削減によるコストダウン効果を高めるために、補正レンズを使用しない構成が望ましい。そのため、特にミラーから検知センサーまでの光路長が長い場合、ミラー角度の精度が書き出し光線の副走査方向へのずれに与える影響が大きくなり、ミラー角度を調整する手段が必要となる場合がある。
【０００５】
そこで、簡易な構成でミラー角度を調整する種々の技術が知られている。例えば、特許文献１には、弾性部材によってミラーの一端を筐体側の支持点に圧接し、ミラーの他端を調整ネジによって直接押圧することでミラー角度を調整する構成が開示されている。
【０００６】
また、特許文献２には、ミラーをくさび形状のミラー保持部材に取り付け、ミラー保持部材を回転させることによりミラー角度を調整する構成が開示されている。
【先行技術文献】
【特許文献】
【０００７】
【特許文献１】特開２００７−１３９９３２号公報
【特許文献２】特開２００６−１７１５６２号公報
【発明の概要】
【発明が解決しようとする課題】
【０００８】
しかしながら、特許文献１のように調整ネジによってミラー角度を調整する方法では、調整ネジが振動によって緩まないように固定する必要があり、調整ネジの固定方法として接着剤による固定や、緩み防止機能が付いた専用ネジによる固定が考えられるが、これらは組み立て工数の増加や部品コストの増大を招いてしまうという不都合があった。
【０００９】
また、特許文献２のようにくさび形状のミラー保持部材を回転させる方法では、調整を必要とする方向（例えば副走査方向）と直交する方向（例えば主走査方向）の角度も同時に変化してしまうため、書き出し光線の検知センサーへの入射に影響する副走査方向の角度のみを調整することはできなかった。
【００１０】
本発明は、上記問題点に鑑み、簡単な構成でミラー角度の調整を必要とする一方向のみの角度を高精度に調整可能な光走査装置及びそれを備えた画像形成装置を提供することを目的とする。
【課題を解決するための手段】
【００１１】
上記目的を達成するために本発明の第１の構成は、光源部と、ポリゴンミラーと、平面ミラーと、ミラー調整機構と、を備えた光走査装置である。光源部は、ビーム光を射出する。ポリゴンミラーは、光源部からのビーム光を被走査面に対して偏向走査する。平面ミラーは、ポリゴンミラーによって反射されたビーム光の光路を変更する。ミラー調整機構は、平面ミラーの角度を調整する。ミラー調整機構は、平面ミラーの反射面に対し同一直線上で点接触または線接触する１つ以上の第１支持突起が設けられた当接面と、平面ミラーの一端側を第１支持突起に押圧するミラー押さえ部と、平面ミラーの反射面の他端側に対向し、平面ミラーの反射面に点接触する１つの第２支持突起が設けられたミラー受け部と、を有するミラー保持部材と、を有する。当接面は、複数の第１支持突起と平面ミラーとの当接点を結ぶ直線に対し平行であり、且つ、平面ミラーと複数の第１支持突起及び第２支持突起との当接点を含む平面と平行ではない。平面ミラーと第１支持突起との接触状態、及びミラー受け部と当接面との接触状態を維持しながらミラー保持部材を回転させることにより、複数の第１支持突起と平面ミラーとの当接点を結ぶ直線を揺動軸として平面ミラーの角度を一方向にのみ調整可能である。
【発明の効果】
【００１２】
本発明の第１の構成によれば、ミラー保持部材の回転により平面ミラーと第２支持突起との接触点の位置が当接面の傾斜に沿って移動する際、平面ミラーと複数の第１支持突起との接触点の位置は変化しない。これにより、平面ミラーは複数の第１支持突起との接触点を結ぶ直線を揺動軸として揺動するため、一方向の角度のみを精度良く調整できる。
【図面の簡単な説明】
【００１３】
【図１】本発明の一実施形態に係る光走査装置１９が搭載された画像形成装置１の概略構成を示す断面図
【図２】画像形成装置１に搭載される光走査装置１９の内部構造を示す斜視図
【図３】検知ミラー３７の角度を調整するミラー調整機構５０付近の斜視図
【図４】図３に示すミラー調整機構５０から検知ミラー３７を取り外した状態を示す斜視図
【図５】図３に示すミラー調整機構５０から検知ミラー３７及びミラー保持部材５１を取り外した状態を示す斜視図
【図６】ミラー調整機構５０をミラー保持部材５１の回転軸Ｏを通る垂直線で切断した側面断面図
【図７】ミラー調整機構５０を第１支持突起６１ａ、６１ｂ付近を通る水平線で切断した平面断面図
【発明を実施するための形態】
【００１４】
以下、図面を参照しながら本発明の実施形態について説明する。図１は、本発明の一実施形態に係る画像形成装置１の全体構成を示す概略構成図であり、右側を画像形成装置１の前方側として図示している。画像形成装置１（ここではモノクロプリンター）の装置本体１ａの下部には、積載された用紙を収容する給紙カセット２が配置されている。この給紙カセット２の上方には、装置本体１ａの前方から後方へ略水平に延び、更に上方へ延びて装置本体１ａの上面に形成された排紙部３に至る用紙搬送路４が形成されている。この用紙搬送路４に沿って上流側から順に、ピックアップローラー５、フィードローラー６、中間搬送ローラー７、レジストローラー対８、画像形成部９、定着部１０及び排出ローラー対１１が配置されている。
【００１５】
給紙カセット２には、給紙カセット２に対して回動可能に支持された用紙積載板１２が設けられている。用紙積載板１２上に積載された用紙がピックアップローラー５によって用紙搬送路４に向けて送出され、ピックアップローラー５によって複数枚の用紙が同時に送出された場合には、フィードローラー６とリタードローラー１３とによって用紙が捌かれ、最上位の１枚のみが搬送されるように構成されている。用紙搬送路４に送出された用紙は、中間搬送ローラー７によって装置本体１ａの後方へと搬送方向を変えられてレジストローラー対８へと搬送され、レジストローラー対８によってタイミングを調整されて画像形成部９へと供給される。
【００１６】
画像形成部９は、電子写真プロセスによって用紙に所定のトナー像を形成するものであり、図１において時計回りに回転可能に軸支された像担持体である感光体ドラム１４と、この感光体ドラム１４の周囲に配置される帯電装置１５、現像装置１６、クリーニング装置１７、用紙搬送路４を挟んで感光体ドラム１４に対向するように配置される転写ローラー１８、及び感光体ドラム１４の上方に配置される光走査装置１９から構成されており、現像装置１６の上方には、現像装置１６へトナーを補給するトナーコンテナ２０が配置されている。
【００１７】
帯電装置１５には、図示しない電源が接続された導電性ゴムローラー１５ａが備えられており、この導電性ゴムローラー１５ａが感光体ドラム１４に当接するよう配置されている。そして、感光体ドラム１４が回転すると、導電性ゴムローラー１５ａが感光体ドラム１４の表面に接触して従動回転し、この時、導電性ゴムローラー１５ａに所定の電圧を印加することにより、感光体ドラム１４の表面が均一に帯電されることになる。
【００１８】
次いで、光走査装置１９から射出されるビーム光により、入力された画像データに基づく静電潜像が感光体ドラム１４上に形成され、現像装置１６により静電潜像にトナーが付着して感光体ドラム１４の表面にトナー像が形成される。そして、レジストローラー対８から感光体ドラム１４と転写ローラー１８とのニップ部（転写位置）に用紙が所定のタイミングで供給され、転写ローラー１８により用紙上に感光体ドラム１４の表面のトナー像が転写される。
【００１９】
トナー像が転写された用紙は、感光体ドラム１４から分離されて定着部１０に向けて搬送される。この定着部１０は、用紙搬送方向に対し画像形成部９の下流側に配置されており、画像形成部９においてトナー像が転写された用紙は、定着部１０に備えられた加熱ローラー２１、及びこの加熱ローラー２１に圧接される加圧ローラー２２によって加熱、加圧され、用紙に転写されたトナー像が定着される。
【００２０】
画像形成された用紙は、排出ローラー対１１によって排紙部３に排出される。一方、転写後に感光体ドラム１４の表面に残留しているトナーはクリーニング装置１７により除去される。感光体ドラム１４は帯電装置１５によって再び帯電され、以下同様にして画像形成が行われる。
【００２１】
図２は、画像形成装置１に搭載される光走査装置１９の斜視図である。なお、図２では、光走査装置１９の内部構造を示すためにハウジングの上蓋を取り除いた状態を示している。
【００２２】
光走査装置１９は、光源部３３と、回転多面鏡であるポリゴンミラー３４と、ポリゴンミラー３４を回転駆動させるポリゴンモーター３９と、走査光学系３５と、折り返しミラー３６と、検知ミラー３７と、検知センサー３８とを備える。光源部３３、ポリゴンミラー３４、ポリゴンモーター３９、走査光学系３５、折り返しミラー３６は、ハウジング３１内に配設される。
【００２３】
光源部３３は、レーザー光を出力するレーザーダイオード等の光源と、レーザー光のビーム径を整形するシリンドリカルレンズやコリメートレンズ等を有し、図示しないパソコン等から入力される画像データに基づいて変調されたビーム光を出力する。
【００２４】
ポリゴンミラー３４は、ポリゴンモーター３９によって所定の速度で回転しており、側面に有する反射ミラー面によって光源部３３から出力されたビーム光を偏向させる。ポリゴンモーター３９は回路基板４０に設けたドライバー回路によって駆動制御される。
【００２５】
走査光学系３５は、複数のレンズから構成され、ポリゴンミラー３４で反射したビーム光が一定の速度で走査されるように変換するとともに、被走査面にビーム光を結像させる。折り返しミラー３６は、走査光学系３５を通過したビーム光を走査光学系３５の下側に向けて反射し、感光体ドラム１４（図１参照）に導く。
【００２６】
検知センサー３８は、主走査方向の露光範囲（書き出しタイミング）を制御するための信号を出力するものであり、露光範囲外に配置された検知ミラー３７を介して走査光学系３５を通過したビーム光（書き出し光線）を受光する。
【００２７】
上記の構成において、光源部３３は画像データに基づいて変調されたビーム光をポリゴンミラー３４に向けて出力する。ポリゴンミラー３４は光源部３３からのビーム光を反射させ、その回転によって反射光を偏向走査する。走査光学系３５はポリゴンミラー３４で反射したビーム光を等速走査光に変換し、折り返しミラー３６を介して被走査面である感光体ドラム１４（図１参照）上に結像させる。このようにして、光走査装置１９は均一に帯電された感光体ドラム１４上の走査方向の所定の範囲を露光走査し、感光体ドラム１４上に帯電が減衰された静電潜像が形成される。
【００２８】
ハウジング３１は、底面部３１ａと、底面部３１ａの周縁から立ち上がる側壁部３１ｂと、側壁部３１ｂの上縁に取り付けられる図示しない上蓋とを有して、所定の形状に樹脂にて成形される。底面部３１ａと側壁部３１ｂ及び上蓋によって形成される空間内には、光源部３３と、ポリゴンミラー３４と、ポリゴンモーター３９と、走査光学系３５と、折り返しミラー３６が収納される。折り返しミラー３６は、底面部３１ａに形成された射出口（図示せず）を介してビーム光を感光体ドラム１４（図１参照）に向けて反射させるために、底面部３１ａに対して所定の角度だけ傾斜して底面部３１ａに固定されている。
【００２９】
検知ミラー３７及び検知センサー３８は、側壁部３１ｂの所定位置に取り付けられている。検知ミラー３７の詳細な取り付け構造については後述する。
【００３０】
ポリゴンミラー３４は、ポリゴンモーター３９の回転軸に取り付けられ、ポリゴンモーター３９は回路基板４０を介在させて底面部３１ａに固定されている。回路基板４０は、ポリゴンモーター３９の回転駆動を制御するドライバーＩＣ等を搭載し、底面部３１ａに固定される。なお、回路基板４０は底面部３１ａの他の部分に配設してもよく、また上蓋等のハウジング３１の上部に配設してもよい。
【００３１】
図３は、検知ミラー３７の角度を調整するミラー調整機構５０付近（図２の破線円内）の斜視図であり、図４は、図３に示すミラー調整機構５０から検知ミラー３７を取り外した状態を示す斜視図、図５は、図３に示すミラー調整機構５０から検知ミラー３７及びミラー保持部材５１を取り外した状態を示す斜視図である。図３〜図５を参照しながらミラー調整機構５０の詳細な構成について説明する。なお、図３において矢印ＸＸ′方向が主走査方向、矢印ＹＹ′方向が副走査方向である。
【００３２】
ミラー調整機構５０は、検知ミラー３７と、検知ミラー３７を保持するミラー保持部材５１と、ミラー保持部材５１を回動可能に支持するミラー保持部材支持部５５ａ〜５５ｃとを含む。
【００３３】
ミラー保持部材支持部５５ａ〜５５ｃは、ハウジング３１の側壁部３１ｂの外側に突出するように一体形成されている。側壁部３１ｂのミラー保持部材支持部５５ａ〜５５ｃで囲まれた部分は、ミラー保持部材５１が当接する当接面５７であり、当接面５７の略中央部には開口部６０が形成されている。ポリゴンミラー３４で反射されたビーム光は開口部６０を介して検知ミラー３７に入射し、検知ミラーで反射されたビーム光は開口部６０を介して検知センサー３８（図２参照）に入射する。また、開口部６０の下方には、当接面５７から外向きに突出する第１支持突起６１ａ、６１ｂが形成されている。ミラー保持部材支持部５５ｃの内側面（上面）には、凹部と凸部とが交互に連続するラック部６３が形成されている。
【００３４】
ミラー保持部材５１は、バネ性（復元性）を有する金属で形成された略円筒状の部材であり、ミラー保持部材支持部５５ａ〜５５ｃに内側から圧接される圧接片６５ａ〜６５ｃを有する。ミラー保持部材支持部５５ｃに圧接される圧接片６５ｃには、ミラー保持部材支持部５５ｃのラック部６３に係合する係合突起６７が形成されている。また、圧接片６５ａと圧接片６５ｃとの間、及び圧接片６５ｂと圧接片６５ｃとの間には、押圧部６９ａ、６９ｂが形成されている。
【００３５】
圧接片６５ｃの上方直近にはミラー押さえ部７０が形成されている。ミラー押さえ部７０は、検知ミラー３７の裏面（図４の紙面手前側の面）下部を押圧して検知ミラー３７の反射面（図４の紙面奥側の面）下部を当接面５７の第１支持突起６１ａ、６１ｂに押し当てる。また、圧接片６５ａ、６５ｂの間には、検知ミラー３７の反射面上部を保持するミラー受け部７１が形成されている。ミラー受け部７１の内面側には半球状の第２支持突起７２が突設されている。
【００３６】
ハウジング３１に検知ミラー３７を取り付ける際は、検知ミラー３７の反射面上部をミラー保持部材５１のミラー受け部７１に当接させ、検知ミラー３７の裏面下部をミラー保持部材５１のミラー押さえ部７０に当接させて、検知ミラー３７をミラー保持部材５１にセットする。
【００３７】
そして、圧接片６５ａ〜６５ｃを、それぞれミラー保持部材支持部５５ａ〜５５ｃに対向させた状態で、押圧部６９ａ、６９ｂを指で押しながらミラー保持部材５１をミラー保持部材支持部５５ａ〜５５ｃで囲まれた部分に挿入する。ミラー保持部材５１が当接面５７に当接し、検知ミラー３７の反射面下部が第１支持突起６１ａ、６１ｂに当接するまでミラー保持部材５１を挿入することにより、ハウジング３１への検知ミラー３７の取り付けが完了する。
【００３８】
ハウジング３１から検知ミラー３７を取り外す際は、圧接片６５ａ、６５ｂを内側に撓ませてミラー保持部材支持部５５ａ、５５ｂへの圧接を解除した状態で、ミラー保持部材５１をミラー保持部材支持部５５ａ〜５５ｃから引き抜くことにより、ハウジング３１からミラー保持部材５１と共に検知ミラー３７を取り外すことができる。
【００３９】
図６は、ミラー調整機構５０をミラー保持部材５１の回転軸Ｏを通る垂直線で切断した側面断面図（図３のＡＡ′矢視断面図）であり、図７は、ミラー調整機構５０を第１支持突起６１ａ、６１ｂ付近を通る水平線で切断した平面断面図（図３のＢＢ′矢視断面図）である。必要に応じて図２〜図４を参照しながら、図６及び図７を用いて検知ミラー３７の角度を調整する方法について説明する。なお、図３と同様に、矢印ＸＸ′方向が主走査方向、矢印ＹＹ′方向が副走査方向である。
【００４０】
図６及び図７に示すように、検知ミラー３７は、ハウジング３１に対し、当接面５７に形成された第１支持突起６１ａ、６１ｂと、当接面５７に接触するミラー保持部材５１のミラー受け部７１に形成された第２支持突起７２の３点で位置決めされている。当接面５７は、検知ミラー３７の反射面と第１支持突起６１ａ、６１ｂとの接触点Ｐ１、Ｐ２を結ぶ直線Ｌ（主走査方向に延びる直線）と平行である。また、図６に示すように、当接面５７は、ハウジング３１の下方から上方に向かって外側に傾斜しており、接触点Ｐ１、Ｐ２、及び検知ミラー３７の反射面と第２支持突起７２との接触点Ｐ３を含む平面Ｑとは平行ではない。即ち、当接面５７は、主走査方向に対して平行状態を保ちながら副走査方向にのみ傾斜する傾斜面である。
【００４１】
図３の状態から、ミラー受け部７１と当接面５７との接触状態を維持しながらミラー保持部材５１を反時計回り方向に回転させると、ミラー保持部材５１のミラー受け部７１も回転軸Ｏを中心として反時計回り方向に回転し、当接面５７の下方に移動する。その結果、検知ミラー３７の反射面上部を支持する第２支持突起７２は当接面５７の傾斜に沿ってハウジング３１の内側方向（図６、図７の破線位置）に移動する。
【００４２】
一方、検知ミラー３７の下部を支持する第１支持突起６１ａ、６１ｂは当接面５７に固定されているため、ミラー保持部材５１の回転によって接触点Ｐ１、Ｐ２の位置は変化しない。従って、検知ミラー３７の角度は、図６に破線で示すようにハウジング３１の内側に倒れ込むように変化する。即ち、検知ミラー３７は接触点Ｐ１、Ｐ２を結ぶ主走査方向の直線Ｌを揺動軸として揺動し、主走査方向における検知ミラー３７の角度は変化しないため、副走査方向の角度のみが変化する。
【００４３】
本実施形態のミラー調整機構５０によれば、検知ミラー３７の主走査方向の角度は変化させずに、副走査方向の角度のみを変化させることができる。そのため、検知センサー３８へのビーム光の入射タイミングを変化させることなく副走査方向にのみビーム光の光路調整が可能となる。
【００４４】
また、バネ性を有する金属で形成されたミラー保持部材５１を、ハウジング３１の側壁部３１ｂの外側面に形成されたミラー保持部材支持部５５ａ〜５５ｃに嵌め込むだけの構成としたので、ハウジング３１の上蓋を取り外すことなく検知ミラー３７の角度調整、或いは検知ミラー３７やミラー保持部材５１の交換等のメンテナンスを行うことができる。
【００４５】
また、ミラー保持部材５１の回転に伴い、圧接片６５ｃに形成された係合突起６７がラック部６３に噛み合いながら移動することにより、作業者に引っ掛かり感（クリック感）を与えてミラー保持部材５１が所定角度だけ回転したことを認識させることができる。さらに、調整後のミラー保持部材５１が容易に移動しないように保持することができる。
【００４６】
その他本発明は、上記実施形態に限定されず、本発明の趣旨を逸脱しない範囲で種々の変更が可能である。例えば、上記実施形態においては、２つの第１支持突起６１ａ、６１ｂを検知ミラー３７の反射面に当接させているが、第１支持突起は検知ミラー３７との当接点が同一直線上に並ぶように３つ以上設けることもでき、リブ状に連続した第１支持突起を設けることもできる。但し、第１支持突起と検知ミラー３７との接触点が増加する（或いは線接触する）と、検知ミラー３７の位置決めを高精度に行うために第１支持突起の寸法精度が要求される。従って、本実施形態のように第１支持突起６１ａ、６１ｂの２点で検知ミラー３７を支持する構成が好ましい。
【００４７】
また、上記実施形態においては、ハウジング３１の下方から上方に向かって外側に傾斜した当接面５７に沿ってミラー保持部材５１を回転させる構成としたが、ハウジング３１の下方から上方に向かって内側に傾斜した当接面５７を用いても良い。当接面５７の傾斜する方向は、ハウジング３１を成形する際の金型の抜き方向を考慮して決定すれば良い。
【００４８】
また、上記実施形態では、検知センサー３８にビーム光を導く検知ミラー３７の角度を調整するミラー調整機構５０について説明したが、本発明はこれに限らず、ポリゴンミラー３４から被走査面（感光体ドラム１４）までの間に配置される他のミラーの調整機構として用いることもできる。
【００４９】
また本発明は、図１に示したようなモノクロプリンターに限らず、モノクロ複写機、デジタル複合機、タンデム式或いはロータリー式のカラープリンターやカラー複写機、或いはファクシミリ等、光走査装置を備えた種々の画像形成装置に適用できるのはもちろんである。
【産業上の利用可能性】
【００５０】
本発明は、ポリゴンモーターを用いた露光走査により被走査面上に静電潜像を形成する光走査装置、及びそれを備えた複写機、プリンター、ファクシミリ、それらの複合機等の画像形成装置に利用可能である。本発明の利用により、簡単な構成でミラー角度の調整を必要とする一方向のみの角度を高精度に調整可能な光走査装置を提供することができる。
【符号の説明】
【００５１】
１              画像形成装置
１４            感光体ドラム（像担持体）
１９            光走査装置
３１            ハウジング
３１ａ          底壁部
３１ｂ          側壁部
３３            光源部
３４            ポリゴンミラー
３５            走査光学系
３６            折り返しミラー
３７            検知ミラー（平面ミラー）
３８            検知センサー
５０            ミラー調整機構
５１            ミラー保持部材
５５ａ〜５５ｃ  ミラー保持部材支持部
５７            当接面
６１ａ、６１ｂ  第１支持突起
６５ａ〜６５ｃ  圧接片
６３            ラック部
６７            係合突起
７０            ミラー押さえ部
７１            ミラー受け部
７２            第２支持突起
【図１】
2015206930.tif 000003
【図２】
2015206930.tif 000004
【図３】
2015206930.tif 000005
【図４】
2015206930.tif 000006
【図５】
2015206930.tif 000007
【図６】
2015206930.tif 000008
【図７】
2015206930.tif 000009